(57)【特許請求の範囲】
【請求項１】
鍵盤部の上側を開閉可能に覆う蓋本体と、
口棒と、
前記蓋本体に取り付けられ、前記蓋本体を閉じたときに前記口棒に接し、前記蓋本体よりも靭性の高い取手部と、
を備えていることを特徴とする鍵盤蓋。
【請求項２】
請求項１に記載の鍵盤蓋において、前記蓋本体は木材から形成され、前記取手部は金属から形成されていることを特徴とする鍵盤蓋。
【請求項３】
請求項１または２に記載の鍵盤蓋において、前記取手部は中空状に形成され、前記蓋本体と接する前記取手部の一端部に取付孔が設けられる一方、前記取手部の他端部には挿入孔が設けられていることを特徴とする鍵盤蓋。
【請求項４】
請求項３に記載の鍵盤蓋において、前記挿入孔から挿入された締結部材を前記取付孔に挿入させて、前記取手部と前記蓋本体を締結することを特徴とする鍵盤蓋。
【請求項５】
請求項４に記載の鍵盤蓋において、前記挿入孔は目隠しシートで覆われていることを特徴とする鍵盤蓋。
【請求項６】
請求項１〜請求項５に記載の鍵盤蓋において、前記鍵盤部を覆った際に鍵と対面する前記蓋本体の面は、光沢シートで覆われていることを特徴とする鍵盤蓋。
【請求項７】
請求項６に記載の鍵盤蓋において、前記蓋本体には、前記光沢シートの縁部を覆う化粧枠が設けられていることを特徴とする鍵盤蓋。
【請求項８】
請求項１〜請求項７のいずれかに記載の鍵盤蓋において、前記鍵盤部を覆った際に鍵と対面する前記蓋本体の面と反対側の面は、装飾シートで覆われていることを特徴とする鍵盤蓋。
【請求項９】
請求項１〜請求項８のいずれかに記載の鍵盤蓋において、前記蓋本体は単一の板状部材からなることを特徴とする鍵盤蓋。
【請求項１０】
請求項１〜請求項９のいずれかに記載された鍵盤蓋と、
複数の鍵を有する鍵盤部と、
スピーカ部と、
前記複数の鍵のいずれかの鍵の押鍵操作に応答して、前記スピーカ部から楽音を発生させるための回路部と、
を備えていることを特徴とする鍵盤楽器。
【発明の詳細な説明】
【技術分野】
【０００１】
この発明は、ピアノやオルガンなどの鍵盤楽器に用いられる鍵盤蓋およびそれを備えた鍵盤楽器に関する。
【背景技術】
【０００２】
例えば、ピアノなどの鍵盤楽器においては、特許文献１に記載されているように、楽器ケース内に設けられた鍵盤部を開閉可能に覆う鍵盤蓋が、楽器ケースに回転軸によって回転可能に取り付けられた構成のものが知られている。
【先行技術文献】
【特許文献】
【０００３】
【特許文献１】特開２００２−２８７７３９号公報
【０００４】
このような鍵盤楽器の鍵盤蓋は、鍵盤部の上側を開閉可能に覆う蓋本体部と、鍵盤部の前側を開閉可能に覆う取手部とを有し、これを天然の木材で一刀彫によって一体に形成した構成になっている。
【発明の概要】
【発明が解決しようとする課題】
【０００５】
しかしながら、このような鍵盤楽器の鍵盤蓋では、蓋本体部と取手部とを天然の木材で一体に形成する構造であるため、材料費が高く、加工も難しく、製作が面倒で、コストが高くなるという問題がある。
【０００６】
この発明が解決しようとする課題は、製作が容易で、低コスト化を図ることができる鍵盤蓋およびそれを備えた鍵盤楽器を提供することである。
【課題を解決するための手段】
【０００７】
この発明は、鍵盤部の上側を開閉可能に覆う蓋本体と、口棒と、前記蓋本体に取り付けられ、前記蓋本体を閉じたときに前記口棒に接し、前記蓋本体よりも靭性の高い取手部と、を備えていることを特徴とする鍵盤蓋である。
【発明の効果】
【０００８】
この発明によれば、鍵盤部の上側を覆う蓋本体に取り付けられて蓋本体よりも靭性の高い取手部によって蓋本体の強度を確保することができるので、蓋本体を木製のほぼ平板状に形成することができる。このため、蓋本体の材料費が安くなり、加工も簡単で、容易に製作することができるので、低コスト化を図ることができる。
【図面の簡単な説明】
【０００９】
【図１】この発明を鍵盤楽器に適用した一実施形態において、鍵盤蓋が鍵盤部を覆った状態を示した断面図である。
【図２】図１に示された鍵盤楽器において、鍵盤蓋を開いて鍵盤部を開放した状態を示した断面図である。
【図３】図２に示された鍵盤蓋の要部を示した拡大断面図である。
【図４】図２に示された鍵盤蓋の要部を示した拡大斜視図である。
【図５】図４に示された鍵盤蓋のＡ−Ａ矢視における要部の拡大断面図である。
【発明を実施するための形態】
【００１０】
以下、図１〜図５を参照して、この発明を鍵盤楽器に適用した一実施形態について説明する。
この鍵盤楽器は、図１および図２に示すように、楽器ケース１を備えている。
【００１１】
この楽器ケース１は、図１および図２に示すように、底板２と、この底板２の前端部（図１では左端部）に起立して設けられた口棒３と、底板２の後端部（図１では右端部）に起立して設けられた後板４と、底板２の両側部（図１は紙面の表裏面側）に起立して設けられた一対の側板５と、後板４の上端部および一対の側板５の上端部に設けられた天板６と、天板６の前端下部に設けられた上前板７と、を備えている。口棒３を含む楽器ケース１は天然の木材で形成されていても良いし、木片を接合した集成材で形成されていても良い。
【００１２】
この場合、口棒３は、図１および図２に示すように、その高さが後板４の高さよりも大幅に低く形成されている。また、一対の側板５は、前部側（図１では左側）が口棒３の高さよりも少し高く形成され、後部側（図１では右側）が後板４と同じ高さに形成されている。これにより、一対の側板５は、前部側と後部側との境界部がほぼ垂直な立ち上り部５ａに形成され、この立ち上り部５ａの下部から側板５の前端部に向けて前下がりに緩やかに傾斜する傾斜部５ｂに形成された構成になっている。
【００１３】
天板６は、図１および図２に示すように、一対の側板５における後部側（図１では右側）の各上端部と後板４の上端部とに亘って取り付けられている。この天板６の前側上面には、譜面立て８が後方に少し傾いた状態で起立して設けられている。上前板７は、一対の側板の立ち上り部５ａに対応して一対の側板５間に配置された状態で、天板６の前端下部に取り付けられている。これにより、楽器ケース１は、一対の側板５の傾斜部５ｂに対応する前部側（図１では左側）に位置する個所が、上側に開放されたほぼ箱形状に形成されている。
【００１４】
一方、楽器ケース１内には、図１および図２に示すように、鍵盤部１０が設けられている。この鍵盤部１０は、楽器ケース１の底板２上に設けられた鍵盤シャーシ１１と、この鍵盤シャーシ１１上にその両側（図１は紙面の表裏面側）に沿って並列に配列された複数の鍵１２と、を備えている。複数の鍵１２は、その前後方向（図１では左右方向）における各中間部が鍵盤シャーシ１１上に上下方向に回転可能に取り付けられ、この状態で各鍵１２の前部側が楽器ケース１の前側上方に露呈するように構成されている。
【００１５】
また、楽器ケース１内には、図１および図２に示すように、鍵盤部１０の複数の鍵１２にそれぞれアクション荷重を付与するアクション機構部１３が、鍵盤部１０の後部上側（図１では右上側）に位置して設けられている。このアクション機構部１３は、鍵１２が押鍵された際に、その押鍵された鍵１２に対応するハンマー部材１３ａが回転することにより、押鍵された鍵１２それぞれにアクション荷重を付与するように構成されている。
【００１６】
すなわち、このアクション機構部１３は、図１および図２に示すように、鍵１２にアクション荷重を付与することにより、アコースティックピアノの鍵タッチに近似した鍵タッチ感が得られるように構成されている。また、このアクション機構部１３は、ハンマー部材１３ａが回転して鍵１２にアクション荷重を付与した際に、スイッチ動作するスイッチ回路部１４を備えている。このスイッチ回路部１４は、そのスイッチ動作によって後述するスピーカ１５から楽音を発生させるための電気信号を出力するように構成されている。
【００１７】
また、この楽器ケース１内には、図１および図２に示すように、鍵盤部１０とアクション機構部１３との間を仕切る仕切板１６が設けられている。この楽器ケース１内には、棚板１７が天板６の下側でかつアクション機構部１３の上方に位置する箇所に配置されている。この棚板１７は、仕切板１６と後板４との間に位置した状態で、仕切板１６と後板４とに取り付けられている。この棚板１７の前側下面（図１では左側下面）における鍵１２の配列方向の両側には、スピーカ１５がそれぞれ上向きで取り付けられている。この場合、棚板１７には、スピーカ放音孔１７ａがスピーカ１５に対応して設けられている。
【００１８】
ところで、この楽器ケース１には、図１および図２に示すように、鍵盤部１０を開閉可能に覆う鍵盤蓋１８が設けられている。この鍵盤蓋１８は、鍵盤部１０の上側を開閉可能に覆う木製の蓋本体２０と、この蓋本体２０の前端下部（図１では左端下部）に取り付けられた金属製の取手部２１と、蓋本体２０を楽器ケース１に対して回転可能に取り付ける回転機構部２２と、を備えている。
【００１９】
この場合、回転機構部２２は、図１および図２に示すように、一対の側板５の互いに対向する各内面における立ち上り部５ａと傾斜部５ｂとが交差する箇所の下側附近に取り付けられた支持軸２２ａと、この支持軸２２ａに回転可能に取り付けられた円板状の回転板２２ｂと、を備えている。
【００２０】
この回転機構部２２は、図１および図２に示すように、回転板２２ｂの回転中心である支持軸２２ａに対して偏心した位置に鍵盤蓋１８の蓋本体２０の後端部（図１では右端部）が取り付けられた構成になっている。これにより、鍵盤蓋１８は、回転機構部２２の回転板２２ｂの回転中心である支持軸２２ａを中心に回転板２２ｂと共に上下方向に回転するように構成されている。
【００２１】
蓋本体２０は、図１〜図４に示すように、鍵盤部１０の鍵配列方向における長さが鍵盤部１０の鍵配列方向の長さとほぼ同じ長さで、かつ前後方向（図１では左右方向）の長さが鍵盤部１０の上方に露呈する前側部の長さ、つまり楽器ケース１の口棒３と上前板７との間の長さとほぼ同じ長さで、全体の形状が横方向（鍵配列方向）に長い長方形のほぼ平板状に形成されている。つまり、蓋本体２０は単一の板状部材からなる。
【００２２】
これにより、図１に示すように、蓋本体２０は、鍵盤部１０の上側を開閉可能に覆うように構成されている。この蓋本体２０は、天然の木材で形成されていても良いが、木片を接合した集成材で形成されていることが望ましい。
【００２３】
取手部２１は、図１〜図４に示すように、例えば、アルミニウム、ステンレス、鋼などの靭性の高い金属によって断面長方形の中空状の角筒に形成されている。これにより、取手部２１は、金属で形成されていても、重量が軽くなり、かつ高い剛性を有するように構成されている。
【００２４】
この取手部２１は、鍵盤部１０の鍵配列方向の長さが、蓋本体２０の鍵配列方向の長さと同じ長さに形成され、蓋本体２０の前端下部（図２では上端前部）に締結部材であるねじ部材２３によって取り付けられている。この場合、取手部２１は、金属によって形成されていることにより、蓋本体２０と取手部２１との接合強度が確保され、蓋本体２０の撓みや反りを阻止するように構成されている。
【００２５】
これにより、取手部２１は、図１〜図４に示すように、ほぼ平板状に形成された蓋本体２０を補強して蓋本体２０の強度および剛性を確保するように構成されている。また、この取手部２１は、図１に示すように、蓋本体２０が鍵盤部１０の上側を覆った際に、取手部２１の下端部２１ａが楽器ケース１の口棒３の上端部に当接することにより、鍵盤部１０の前側上部を開閉可能に覆うように構成されている。取手部２１が靭性の高い金属によって形成されているため、蓋本体２０を閉じたときに、取手部２１が口棒３と接しても、蓋本体２０及び取手部２１の強度を確保することができる。
【００２６】
この場合、締結部材であるねじ部材２３は、図１〜図４に示すように、例えば木ねじであり、ねじ部２３ａとねじ頭部２３ｂとを有している。このため、取手部２１の上端部２１ｂ（図３では右端部）には、図３に示すように、ねじ部材２３のねじ部２３ａが挿入する小径のねじ取付孔（取付孔）２４ａが設けられている。また、取手部２１の下端部２１ａには、ねじ部材２３のねじ頭部２３ｂが余裕をもって挿入する大径のねじ挿入孔（挿入孔）２４ｂが設けられている。
【００２７】
これにより、取手部２１は、図３および図４に示すように、ねじ部材２３が取手部２１の下端部２１ａに設けられた大径のねじ挿入孔２４ｂから取手部２１の内部に挿入され、この挿入されたねじ部材２３のねじ部２３ａが取手部２１の上端部２１ｂに設けられた小径のねじ取付孔２４ａから蓋本体２０の裏面側にねじ込まれることにより、取手部２１の上端部２１ｂが蓋本体２０の裏面に取り付けられるように構成されている。
【００２８】
この取手部２１の下端部２１ａには、図３および図４に示すように、ねじ挿入孔２４ｂを塞いで隠す目隠しシート２５が設けられている。この目隠しシート２５は、装飾性およびクッション性を有するフェルトなどのシートであり、取手部２１の下端部２１ａから取手部２１の鍵配列方向における両側部に亘って取り付けられている。これにより、目隠しシート２５は、取手部２１の下端面から取手部２１の鍵配列方向における両側面を覆い隠すように構成されている。
【００２９】
ところで、蓋本体２０における鍵盤部１０と対面する裏面（図１では下面）には、図１〜図４に示すように、光沢シート２６が設けられている。この光沢シート２６は、ポリカーボネートやアクリルなどの合成樹脂製の透明なシートであり、蓋本体２０の裏面に対面する光沢シート２６の裏面が黒色に着色された構成になっている。これにより、光沢シート２６は、鏡面機能を有し、鍵盤蓋１８が開いて蓋本体２０が起立して上前板７の前側（図２では左側）に立て掛けられた際に、鍵盤部１０の各鍵１２および演奏者の手が映るように構成されている。
【００３０】
この場合、蓋本体２０の裏面（図１では下面）における鍵配列方向の両側部には、図４および図５に示すように、光沢シート２６の鍵配列方向における両側の各縁部を覆い隠して保護する化粧枠２７がそれぞれ設けられている。この化粧枠２７は、アルミニウムやステンレスなどの金属、または木材などによって帯板状に形成され、蓋本体２０の鍵配列方向における両端部にそれぞれ配置されている。
【００３１】
この化粧枠２７は、図５に示すように、光沢シート２６側に位置する側部に切欠き溝２７ａが設けられ、この切欠き溝２７ａ内に光沢シート２６の鍵配列方向に位置する縁部が配置されるように構成されている。また、取手部２１の上端部２１ｂにおける光沢シート２６側に位置する側部には、図３に示すように、切欠き溝２１ｃが設けられている。これにより、取手部２１は、その切欠き溝２１ｃ内に光沢シート２６の前後方向（図２では上側）に位置する縁部が配置されるように構成されている。
【００３２】
一方、蓋本体２０の表面、つまり蓋本体２０の裏面と反対に位置する蓋本体２０の上面（図３では左側面）、および取手部２１の前面（図３では上面）には、図３および図４に示すように、装飾シート２８が設けられている。この装飾シート２８は、蓋本体２０の表面および取手部２１の前面を覆って保護するものであり、塩化ビニルなどの軟質の合成樹脂で形成されている。この装飾シート２８は、その表面または裏面に木目模様などの装飾が施されていることが望ましい。
【００３３】
次に、このような鍵盤楽器の作用について説明する。
この鍵盤楽器の鍵盤蓋１８を製作する場合には、蓋本体２０を木材で製作し、取手部２１を金属で製作する。この場合、蓋本体２０はほぼ平板状であるから、材料費が安く、加工も簡単で、天然の木材でも集成材でも容易に製作することができる。また、取手部２１は断面が長方形の金属製の角筒であるから、押出し成型によって簡単に製作することができると共に、内部が空洞であるから、重量を軽くすることができる。
【００３４】
この取手部２１を蓋本体２０に取り付ける場合には、蓋本体２０の前端下面に取手部２１を配置し、この状態で取手部２１の下側からねじ部材２３を取手部２１の下端部２１ａに設けられたねじ挿入孔２４ｂから取手部２１の内部に挿入させ、この挿入したねじ部材２３のねじ部２３ａを取手部２１の上端部２１ｂに設けられたねじ取付孔２４ａから蓋本体２０の裏面にねじ込んで締め付ける。これにより、取手部２１が蓋本体２０の前端下面に鍵配列方向に沿って取り付けられる。
【００３５】
この後、蓋本体２０と反対側に位置する取手部２１の下端部２１ａの下端面から取手部２１の鍵配列方向に位置する両側面に亘って、目隠しシート２５を取り付ける。これにより、取手部２１の下端面および取手部２１の両側面が目隠しシート２５によって覆い隠される。このため、取手部２１の下端部２１ａに設けられたねじ挿入孔２４ｂが目隠しシート２５によって塞がれて隠される。
【００３６】
また、蓋本体２０に取手部２１が取り付けられた際には、鍵盤部１０に対面する蓋本体２０の裏面に光沢シート２６を取り付ける。このときには、光沢シート２６の前後方向における前側端（図３では上側端）を取手部２１の上端部２１ｂに設けられた切欠き溝２１ｃ内に差し込み、この差し込まれた前側端に対して直交する光沢シート２６の両側縁をこれに対応する蓋本体２０の両側端から少し離した状態で、光沢シート２６を蓋本体２０の裏面に貼り付ける。
【００３７】
この状態で、蓋本体２０の裏面における鍵配列方向に位置する両側端部に化粧枠２７をそれぞれ取り付ける。このときには、化粧枠２７の前端部（図４では上端部）を取手部２１の後端面（図４では下端面）に対応させ、化粧枠２７の後端部（図４では下端部）を蓋本体２０の裏面の後端部（図４では下端部）に対応させ、かつ化粧枠２７の長手方向に沿う側縁部を蓋本体２０の裏面における両側端の一方の縁部にそれぞれ対応させる。
【００３８】
この状態で、各化粧枠２７にそれぞれ設けられた各切欠き溝２７ａ内に光沢シート２６の鍵配列方向に位置する両側縁をそれぞれ配置させて、各化粧枠２７を蓋本体２０の裏面における両側端にそれぞれ貼り付ける。これにより、光沢シート２６の鍵配列方向の両側縁が各化粧枠２７によって覆い隠されて保護される。このため、光沢シート２６の鍵配列方向における両側縁のめくれや剥がれを防ぐことができる。
【００３９】
さらに、蓋本体２０に取手部２１が取り付けられた際には、蓋本体２０の表面に装飾シート２８を貼り付ける。このときには、蓋本体２０の上面および両側面に亘って貼り付けると共に、蓋本体２０の前端面および取手部２１の前端面に亘って貼り付ける。これにより、蓋本体２０の前端面および取手部２１の前端面が装飾シート２８によって保護されると共に装飾される。
【００４０】
このように製作された鍵盤蓋１８を楽器ケース１に取り付ける場合には、まず、鍵盤蓋１８の蓋本体２０の両側部における後端部に回転機構部２２の回転板２２ｂをその偏心した位置に取り付ける。この状態で、回転板２２ｂの回転中心に支持軸２２ａを挿入させ、この挿入した支持軸２２ａを楽器ケース１の一対の側板５の各内面に取り付ける。これにより、鍵盤蓋１８は、回転機構部２２の回転板２２ｂの回転中心である支持軸２２ａを中心として上下方向に回転可能な状態で、楽器ケース１に取り付けられる。
【００４１】
次に、このような鍵盤蓋１８の作用について説明する。
この鍵盤蓋１８が回転機構部２２の支持軸２２ａを中心に図１において反時計回りに回転して鍵盤部１０を覆った際には、取手部２１の下端部２１ａが楽器ケース１の口棒３の上端部に当接する。この状態では、鍵盤蓋１８の蓋本体２０が鍵盤部１０の上側を覆い、鍵盤蓋の取手部２１が鍵盤部１０の前側上部を覆う。
【００４２】
また、この状態では、鍵盤蓋１８が楽器ケース１の一対の側板５間に配置されるため、鍵盤蓋１８は、蓋本体２０の両側面、後端面、および裏面が隠れると共に、取手部２１の両側面、下端面、および後端面が隠れる。このため、これら以外の蓋本体２０の上面、前端面、および取手部２１の前端面が外部に露呈し、蓋本体２０の上面および取手部２１の前端面に設けられた装飾シート２８が露呈する。これにより、この露呈した装飾シート２８によって鍵盤蓋１８が装飾され、外観性およびデザイン性が確保される。
【００４３】
一方、鍵盤蓋１８が回転機構部２２の支持軸２２ａを中心に図２において時計回りに回転して鍵盤部１０を開放させた際には、鍵盤蓋１８が楽器ケース１の上前板７の前側に位置した状態で起立する。この状態では、蓋本体２０の裏面、両側面、および取手部２１が露呈する。このときには、蓋本体２０の裏面に光沢シート２６が設けられているので、この光沢シート２６に鍵盤部１０の各鍵１２が映り込む。
【００４４】
また、このときには、蓋本体２０と反対側に位置する取手部２１の下端部２１ａから取手部２１の両側部に亘って目隠しシート２５が設けられているので、取手部２１の下端部２１ａにねじ挿入孔２４ｂが設けられていても、このねじ挿入孔２４ｂが目隠しシート２５によって塞がれて隠されると共に、取手部２１の両側面も目隠しシート２５によって隠される。これにより、鍵盤蓋１８全体の外観性およびデザイン性が確保される。
【００４５】
次に、このような鍵盤楽器で演奏する場合について説明する。
このときには、まず、鍵盤蓋１８を開いて鍵盤部１０を露呈させる。すなわち、回転機構部２２の支持軸２２ａを中心に図２において鍵盤蓋１８を時計回りに回転させて、楽器ケース１の上前板７の前側に位置させた状態で起立させる。これにより、鍵盤部１０が開放されて鍵操作が可能な状態になる。
【００４６】
この状態で、演奏する場合には、開放された鍵盤部１０の各鍵１２をそれぞれ押鍵操作する。このときには、蓋本体２０の裏面に設けられた光沢シート２６に鍵盤部１０の各鍵１２が映ると共に、押鍵操作している手の指が映る。このため、演奏者が鍵盤部１０を見なくても、光沢シート２６に映った各鍵１２および演奏者の指を見ながら、鍵盤部１０の各鍵１２を押鍵操作して演奏することができる。
【００４７】
また、鍵盤部１０の各鍵１２をそれぞれ押鍵操作した際には、その押鍵操作された各鍵１２それぞれがその各中間部を中心に反時計回りに回転する。このときには、押鍵操作された鍵１２の回転によってアクション機構部１３の各ハンマー部材１３ａが回転し、押鍵された鍵１２それぞれにアクション荷重が付与される。
【００４８】
これにより、押鍵操作された鍵１２にアコースティックピアノの鍵タッチに近似した鍵タッチ感が与えられる。このときには、アクション機構部１３のハンマー部材１３ａが回転し、このハンマー部材１３ａがスイッチ回路部１４をスイッチ動作させる。これにより、スイッチ回路部１４が電気信号を出力し、この電気信号に基づいてスピーカ１５から楽音が発生させる。
【００４９】
このように、この鍵盤楽器の鍵盤蓋１８によれば、鍵盤部１０の上側を開閉可能に覆う蓋本体２０と、口棒３と、蓋本体２０に取り付けられ、蓋本体２０を閉じたときに口棒３に接し、蓋本体２０よりも靭性の高い取手部２１と、を備えていることにより、蓋本体２０と取手部２１とを無垢の木材で一体に形成した場合に比べて、製作が容易で、低コスト化を図ることができる。
【００５０】
すなわち、この鍵盤楽器の鍵盤蓋１８では、鍵盤部１０の上側を覆う蓋本体２０の前端下部に取り付けられて蓋本体２０よりも靭性の高い取手部２１によって、蓋本体２０の強度を確保することができるので、蓋本体２０を木材でほぼ平板状に形成しても、蓋本体２０の反りや撓みなどの変形を防ぐことができる。このため、蓋本体２０を木材でほぼ平板状に形成することができるので、蓋本体２０と取手部２１とを無垢の木材で一体に形成する場合に比べて、蓋本体２０の材料費が安くなり、加工も簡単で、容易に製作することができ、これにより低コスト化を図ることができる。
【００５１】
この場合、取手部２１は、中空の角筒状に形成されていることにより、取手部２１が金属で形成されても、取手部２１の重量を無垢の木材で形成した場合よりも軽くすることができると共に、無垢の木材と同程度以上の剛性および強度を確保することができる。このため、取手部２１によって蓋本体２０を確実に補強することができるので、鍵盤蓋１８全体の強度を確保することができる。
【００５２】
また、この鍵盤蓋１８では、蓋本体２０の裏面に、光沢シート２６が設けられているので、鍵盤蓋１８を開いて演奏する際に、光沢シート２６に鍵盤部１０の各鍵１２を映すことができると共に、演奏者の手も映すことができる。このため、演奏者が鍵盤部１０を見なくても、光沢シート２６に映った鍵盤部１０の各鍵１２や手の指を見ることにより、各鍵１２の位置および指の動きを視認することができるので、良好に演奏することができる。
【００５３】
また、この鍵盤蓋１８では、蓋本体２０が集成材によって形成されていることにより、天然の木材よりも軽量で、かつ材料費を大幅に安くすることができるばかりか、蓋本体２０の加工が容易で、簡単に製作することができるので、より一層、低コスト化を図ることができる。この場合にも、金属製の取手部２１が中空の角筒状に形成されていることにより、この金属製の取手部２１によって蓋本体２０が補強されるので、蓋本体２０を集成材によって形成しても、鍵盤蓋１８全体の強度を確保することができる。
【００５４】
さらに、この鍵盤蓋１８では、蓋本体２０の裏面と反対側に位置する蓋本体２０の表面が装飾シート２８で覆われていることにより、この装飾シート２８によって蓋本体２０の表面を装飾することができるので、蓋本体２０が集成材で形成されていても、外観性およびデザイン性が損なわれることがなく、鍵盤蓋１８全体の外観性およびデザイン性を向上させることができる。
【００５５】
この場合、装飾シート２８は、蓋本体２０の表面から取手部２１の前端面に亘って設けられていることにより、取手部２１が金属で形成されていても、この取手部２１によって鍵盤蓋１８全体の外観性およびデザイン性が損なわれることがなく、装飾シート２８によって、鍵盤蓋１８全体の外観性およびデザイン性を確保することができる。また、この装飾シート２８は、その表面または裏面に木目模様などの装飾が施されていれば、より一層、鍵盤蓋１８全体の外観性およびデザイン性を向上させることができる。
【００５６】
また、この鍵盤蓋１８では、蓋本体２０と接する取手部２１の一端部である上端部２１ｂに、締結部材であるねじ部材２３を挿入して取手部２１の上端部２１ｂを蓋本体２０に締結するためのねじ取付孔２４ａが設けられており、蓋本体２０と反対側に位置する取手部２１の他端部である下端部２１ａには、ねじ部材２３を取手部２１内に挿入させるためのねじ挿入孔２４ｂが設けられていることにより、取手部２１を蓋本体２０にねじ部材２３によって簡単にかつ強固に取り付けることができる。
【００５７】
すなわち、この鍵盤蓋１８では、取手部２１の下端部２１ａに設けられたねじ挿入孔２４ｂを通してねじ部材２３を取手部２１の内部に挿入させることができ、この挿入したねじ部材２３を取手部２１の上端部２１ｂに設けられたねじ取付孔２４ａから蓋本体２０にねじ込むことができるので、ねじ部材２３によって取手部２１を蓋本体２０に簡単にかつ強固に取り付けることができる。
【００５８】
また、この鍵盤蓋１８では、蓋本体２０と反対側に位置する取手部２１の下端部２１ａに、目隠しシート２５が設けられているので、この目隠しシート２５によって取手部２１の下端面２１ａを覆い隠すことができ、これにより取手部２１の下端部２１ａにねじ挿入孔２４ｂが設けられていても、このねじ挿入孔２４ｂを目隠しシート２５によって塞いで覆い隠すことができるので、ねじ挿入孔２４ｂによって取手部２１の外観性およびデザイン性が損なわれることがなく、取手部２１の外観性およびデザイン性を確保することができる。
【００５９】
この場合、目隠しシート２５は、取手部２１の下端面から両側面に亘って設けられていることにより、取手部２１が金属で形成されていても、この取手部２１の下端面および取手部２１の両側面を目隠しシート２５で覆い隠すことができるので、取手部２１によって鍵盤蓋１８全体の外観性およびデザイン性が損なわれないようすることができる。
【００６０】
また、目隠しシート２５は、装飾性およびクッション性を有するフェルトであることにより、この目隠しシート２５および装飾シート２８によって、鍵盤蓋１８全体の外観性およびデザイン性を向上させることができるほか、取手部２１が金属で形成されていても、鍵盤蓋１８を閉じる際に取手部２１によって楽器ケース１の口棒３の上端部を傷付けないようにすることができる。
【００６１】
さらに、この鍵盤蓋１８では、蓋本体２０の裏面に光沢シート２６の縁部を覆い隠して保護する化粧枠２７が設けられていることにより、光沢シート２６の縁部のめくれや剥がれを防ぐことができると共に、鍵盤蓋１８を開いて鍵盤部１０を開放した際に、化粧枠２７がデザイン的なアクセントとなり、これによっても鍵盤蓋１８全体の外観性およびデザイン性を向上させることができる。この場合、化粧枠２７は、光沢シート２６の縁部および木製の蓋本体２０の縁部が傷つかないように保護することもできる。
【００６２】
なお、上述した実施形態では、目隠しシート２５を蓋本体２０と反対側に位置する取手部２１の下端面から取手部２１の両側面に亘って設けた場合について述べたが、これに限らず、例えば取手部２１の背面にも亘って設けた構成であっても良い。このように構成すれば、取手部２１を目隠しシート２５と装飾シート２８とによって完全に覆い隠すことができるので、より一層、鍵盤蓋１８全体の外観性およびデザイン性を向上させることができる。
【００６３】
また、上述した実施形態では、締結部材であるねじ部材２３が木ねじである場合について述べたが、これに限らず、例えば締結部材は、ボルトとナットとを有し、蓋本体２０にナットを埋め込み、この埋め込まれたナットにボルトを螺着することにより、取手部２１を蓋本体に２０に取り付ける構成であっても良い。また、蓋本体２０にボルトを突出させた状態で埋め込み、この埋め込まれて突出したボルトにナットを螺着することにより、取手部２１を蓋本体に２０に取り付ける構成であっても良い。
【００６４】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６５】
（付記）
請求項１に記載の発明は、鍵盤部の上側を開閉可能に覆う蓋本体と、口棒と、前記蓋本体に取り付けられ、前記蓋本体を閉じたときに前記口棒に接し、前記蓋本体よりも靭性の高い取手部と、を備えていることを特徴とする鍵盤蓋である。
【００６６】
請求項２に記載の発明は、請求項１に記載の鍵盤蓋において、前記蓋本体は木材から形成され、前記取手部は金属から形成されていることを特徴とする鍵盤蓋である。
【００６７】
請求項３に記載の発明は、請求項１または２に記載の鍵盤蓋において、前記取手部は中空状に形成され、前記蓋本体と接する前記取手部の一端部に取付孔が設けられる一方、前記取手部の他端部には挿入孔が設けられていることを特徴とする鍵盤蓋である。
【００６８】
請求項４に記載の発明は、請求項３に記載の鍵盤蓋において、前記挿入孔から挿入された締結部材を前記取付孔に挿入させて、前記取手部と前記蓋本体を締結することを特徴とする鍵盤蓋である。
【００６９】
請求項５に記載の発明は、請求項４に記載の鍵盤蓋において、前記挿入孔は目隠しシートで覆われていることを特徴とする鍵盤蓋である。
【００７０】
請求項６に記載の発明は、請求項１〜請求項５に記載の鍵盤蓋において、前記鍵盤部を覆った際に鍵と対面する前記蓋本体の面は、光沢シートで覆われていることを特徴とする鍵盤蓋である。
【００７１】
請求項７に記載の発明は、請求項６に記載の鍵盤蓋において、前記蓋本体には、前記光沢シートの縁部を覆う化粧枠が設けられていることを特徴とする鍵盤蓋である。
【００７２】
請求項８に記載の発明は、請求項１〜請求項７のいずれかに記載の鍵盤蓋において、前記鍵盤部を覆った際に鍵と対面する前記蓋本体の面と反対側の面は、装飾シートで覆われていることを特徴とする鍵盤蓋である。
【００７３】
請求項９に記載の発明は、請求項１〜請求項８のいずれかに記載の鍵盤蓋において、前記蓋本体は単一の板状部材からなることを特徴とする鍵盤蓋である。
【００７４】
請求項１０に記載の発明は、請求項１〜請求項９のいずれかに記載された鍵盤蓋と、
複数の鍵を有する鍵盤部と、スピーカ部と、前記複数の鍵のいずれかの鍵の押鍵操作に応答して、前記スピーカ部から楽音を発生させるための回路部と、を備えていることを特徴とする鍵盤楽器である。
【符号の説明】
【００７５】
１  楽器ケース
３  口棒
１０  鍵盤部
１２  鍵
１３  アクション機構部
１５  スピーカ
１８  鍵盤蓋
２０  蓋本体
２１  取手部
２１ａ  下端部
２１ｂ  上端部
２１ｃ  切欠き溝
２２  回転機構部
２３  ねじ部材
２４ａ  ねじ取付孔
２４ｂ  ねじ挿入孔
２５  目隠しシート
２６  光沢シート
２７  化粧枠
２７ａ  切欠き溝
２８  装飾シート
【図１】
0006481889.tif 000002
【図２】
0006481889.tif 000003
【図３】
0006481889.tif 000004
【図４】
0006481889.tif 000005
【図５】
0006481889.tif 000006